(57)【要約】      （修正有）【課題】情報処理装置での表示を簡単に確認することができる表示システム、表示装置及び表示方法を提供する。【解決手段】表示システムは、情報処理装置１と、リスト端末２と、を備える。情報処理装置１は、出力部１８−１と、出力監視部５３と、通信制御部５１と、を備える。出力監視部５３は、出力部１８−１への表示がオフにされたか否かを判定する。通信制御部５１は、出力監視部５３によって表示がオフにされたと判定された場合に出力部１８−１の表示内容に係る表示情報である引き継ぎ情報をリスト端末２に送信する。リスト端末２は、出力部１８−２と、通信制御部７１と、出力制御部７２と、を備える。通信制御部７１は、情報処理装置１から送信された引き継ぎ情報を受信するように通信部２０−２を制御する。出力制御部７２は、通信部２０−２によって受信した引き継ぎ情報に基づく情報を出力部１８−２に表示する。【選択図】図４
2015069128.tif 000002
【特許請求の範囲】
【請求項１】
第１の表示装置と、第２の表示装置と、を備える表示システムであって、
前記第１の表示装置は、
第１の表示手段と、
前記第１の表示手段への表示がオフにされたか否かを判定する判定手段と、
前記判定手段によって表示がオフにされたと判定された場合に前記第１の表示手段の表示内容に係る表示情報を前記第２の表示装置に送信する送信手段と、を備え、
前記第２の表示装置は、
第２の表示手段と、
前記第１の表示装置から送信された前記表示情報を受信する受信手段と、
前記受信手段によって受信した前記表示情報に基づく情報を前記第２の表示手段に表示する第２の表示制御手段と、を備える、
ことを特徴とする表示システム。
【請求項２】
前記第１の表示装置は、
前記判定手段によってオフにされたと判定された場合に、前記第１の表示手段への表示がオフにされる直前に前記第１の表示手段に表示されていた表示内容に基づいて、前記表示情報を作成する情報作成手段と、
を更に備え、
前記送信手段は、前記情報作成手段によって前記表示情報が作成されると、当該表示情報を前記第２の表示装置に送信することを特徴とする請求項１に記載の表示システム。
【請求項３】
前記第２の表示制御手段は、前記表示情報に基づいて、前記第１の表示手段に表示されていた内容を、前記第１の表示手段に表示されていた状態を再現して前記第２の表示手段に表示することを特徴とする請求項１又は２に記載の表示システム。
【請求項４】
前記送信手段は、表示している画面の画像データを前記表示情報として前記第２の表示装置に送信するように第１の通信手段を制御する、
ことを特徴とする請求項１乃至３いずれか１項に記載の表示システム。
【請求項５】
前記第２の表示制御手段は、前記表示情報を受信すると当該表示情報に基づく情報を表示させるように第２の表示手段を制御する、
ことを特徴とする請求項１乃至４いずれか１項に記載の表示システム。
【請求項６】
前記第２の表示装置は、前記第２の表示手段を備えたリスト端末により構成される、
ことを特徴とする請求項１乃至５いずれか１項に記載の表示システム。
【請求項７】
表示手段と、
前記表示手段への表示のオン・オフを制御する表示制御手段と、
前記表示制御手段によって前記表示手段への表示がオフにされたか否かを判定する判定手段と、
前記判定手段によってオフにされたと判定された場合に、前記表示手段への表示がオフにされる直前に前記表示手段に表示されていた表示内容に係る表示情報を作成する情報作成手段と、
前記情報作成手段によって前記表示情報が作成されると、当該表示情報を外部装置に送信する送信手段と、
を備えることを特徴とする表示装置。
【請求項８】
外部装置の表示手段の表示内容に係る表示情報を前記外部装置から取得する取得手段と、
前記取得手段によって取得した前記表示情報に基づいて、前記外部装置の表示手段に表示されていた表示内容を、前記外部装置の表示手段に表示されていた状態を再現して表示部に表示する表示制御手段と、
を備えることを特徴とする表示装置。
【請求項９】
第１の表示手段を備える第１の表示装置と、第２の表示手段を備える第２の表示装置と、を備える表示システムで実行される表示方法あって、
前記第１の表示手段への表示がオフにされたか否かを判定する判定ステップと、
表示がオフにされたと判定された場合に前記第１の表示手段の表示内容に係る表示情報を前記第２の表示装置に送信する送信ステップと、
前記第２の表示装置が、前記第１の表示装置から送信された前記表示情報を受信する受信ステップと、
前記受信ステップによって受信した前記表示情報に基づく情報を前記第２の表示手段に表示する第２の表示制御ステップと、
を含むことを特徴とする表示方法。
【発明の詳細な説明】
【技術分野】
【０００１】
本発明は、表示システム、表示装置及び表示方法に関する。
【背景技術】
【０００２】
従来より、スマートフォンなどの情報処理装置においては、インターネットを介して、ｗｅｂサイトの閲覧等を行う機能を有する。このような情報処理装置では、画面を一時的に非表示にする場合には、スリープボタンを押下操作するか、表示画面が所定の時間経過するように構成される（特許文献１参照）。一方で、画面を表示状態に復帰させるためには、スリープボタンを押下操作し、さらに、画面のロックを解除する操作を行う。
【先行技術文献】
【特許文献】
【０００３】
【特許文献１】特開２０１３−１３１８５３号公報
【発明の概要】
【発明が解決しようとする課題】
【０００４】
しかしながら、上述したような特許文献１に記載の技術では、画面を表示状態に復帰させるためには、所定の操作が必要であるために、例えば、情報処理装置がバッグの中にあった場合には、バッグから出して、さらに、所定の操作を行う必要があり、表示されていた画面を確認する程度の場合にも煩雑な作業が必要であった。また、混雑した場所ではバッグから出したり、手に持って当該所定の操作を行ったりことが困難であるという問題があった。
【０００５】
本発明は、このような状況に鑑みてなされたものであり、情報処理装置での表示を簡単に確認することができる表示システム、表示装置及び表示方法を提供することを目的とする。
【課題を解決するための手段】
【０００６】
上記目的を達成するため、本発明の一態様の表示システムは、
第１の表示装置と、第２の表示装置と、を備える表示システムであって、
前記第１の表示装置は、
第１の表示手段と、
前記第１の表示手段への表示がオフにされたか否かを判定する判定手段と、
前記判定手段によって表示がオフにされたと判定された場合に前記第１の表示手段の表示内容に係る表示情報を前記第２の表示装置に送信する送信手段と、を備え、
前記第２の表示装置は、
第２の表示手段と、
前記第１の表示装置から送信された前記表示情報を受信する受信手段と、
前記受信手段によって受信した前記表示情報に基づく情報を前記第２の表示手段に表示する第２の表示制御手段と、を備える、
ことを特徴とする。
【発明の効果】
【０００７】
本発明によれば、情報処理装置での表示を簡単に確認することができる。
【図面の簡単な説明】
【０００８】
【図１】表示システムのシステム構成を示すシステム構成図である。
【図２】本発明の一実施形態に係る情報処理装置のハードウェアの構成を示すブロック図である。
【図３】表示システムにおける表示引き継ぎの概要を示す図である。
【図４】図１の情報処理装置及びリスト端末の機能的構成のうち、表示引き継ぎ処理を実行するための機能的構成を示す機能ブロック図である。
【図５】図４の機能的構成を有する図２の情報処理装置が実行する表示引き継ぎ処理の流れを説明するフローチャートである。
【図６】図４の機能的構成を有する図２のリスト端末が実行する表示引き継ぎ処理の流れを説明するフローチャートである。
【発明を実施するための形態】
【０００９】
以下、本発明の実施形態について、図面を用いて説明する。
【００１０】
図１は、表示システムのシステム構成を示すシステム構成図である。
表示システムＳは、図１に示すように、情報処理装置１と、リスト端末２と、を備える。
情報処理装置１は、ｗｅｂサイトを閲覧等の表示出力を可能に構成される。
また、リスト端末２は、例えば、ＮＦＣ（Ｎｅａｒ  Ｆｉｅｌｄ  Ｃｏｍｍｕｎｉｃａｔｉｏｎ）、Ｂｌｕｅｔｏｏｔｈ（ブルートゥース）（登録商標）等の近距離無線通信規格で情報処理装置１とペアリングしており、情報処理装置１との間でデータのやり取りが可能に構成される。また、リスト端末２は、ｗｅｂサイトを閲覧等の表示出力を可能に構成される。
即ち、情報処理装置１及びリスト端末２は、近距離通信機能と、インターネットを利用したブラウジング機能と搭載している。
【００１１】
図２は、本発明の一実施形態に係る情報処理装置１のハードウェアの構成を示すブロック図である。
情報処理装置１は、例えば、スマートフォン等の携帯端末として構成される。
【００１２】
情報処理装置１は、ＣＰＵ（Ｃｅｎｔｒａｌ  Ｐｒｏｃｅｓｓｉｎｇ  Ｕｎｉｔ）１１と、ＲＯＭ（Ｒｅａｄ  Ｏｎｌｙ  Ｍｅｍｏｒｙ）１２と、ＲＡＭ（Ｒａｎｄｏｍ  Ａｃｃｅｓｓ  Ｍｅｍｏｒｙ）１３と、バス１４と、入出力インターフェース１５と、撮像部１６と、入力部１７と、出力部１８と、記憶部１９と、通信部２０と、ドライブ２１と、を備えている。
【００１３】
ＣＰＵ１１は、ＲＯＭ１２に記録されているプログラム、又は、記憶部１９からＲＡＭ１３にロードされたプログラムに従って各種の処理を実行する。
【００１４】
ＲＡＭ１３には、ＣＰＵ１１が各種の処理を実行する上において必要なデータ等も適宜記憶される。
【００１５】
ＣＰＵ１１、ＲＯＭ１２及びＲＡＭ１３は、バス１４を介して相互に接続されている。このバス１４にはまた、入出力インターフェース１５も接続されている。入出力インターフェース１５には、撮像部１６、入力部１７、出力部１８、記憶部１９、通信部２０及びドライブ２１が接続されている。
【００１６】
撮像部１６は、図示はしないが、光学レンズ部と、イメージセンサと、を備えている。
【００１７】
光学レンズ部は、被写体を撮影するために、光を集光するレンズ、例えばフォーカスレンズやズームレンズ等で構成される。
フォーカスレンズは、イメージセンサの受光面に被写体像を結像させるレンズである。ズームレンズは、焦点距離を一定の範囲で自在に変化させるレンズである。
光学レンズ部にはまた、必要に応じて、焦点、露出、ホワイトバランス等の設定パラメータを調整する周辺回路が設けられる。
【００１８】
イメージセンサは、光電変換素子や、ＡＦＥ（Ａｎａｌｏｇ  Ｆｒｏｎｔ  Ｅｎｄ）等から構成される。
光電変換素子は、例えばＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）型の光電変換素子等から構成される。光電変換素子には、光学レンズ部から被写体像が入射される。そこで、光電変換素子は、被写体像を光電変換（撮像）して画像信号を一定時間蓄積し、蓄積した画像信号をアナログ信号としてＡＦＥに順次供給する。
ＡＦＥは、このアナログの画像信号に対して、Ａ／Ｄ（Ａｎａｌｏｇ／Ｄｉｇｉｔａｌ）変換処理等の各種信号処理を実行する。各種信号処理によって、ディジタル信号が生成され、撮像部１６の出力信号として出力される。
このような撮像部１６の出力信号を、以下、「撮像画像のデータ」と呼ぶ。撮像画像のデータは、ＣＰＵ１１や図示しない画像処理部等に適宜供給される。
【００１９】
入力部１７は、各種ボタン等で構成され、ユーザの指示操作に応じて各種情報を入力する。
出力部１８は、ディスプレイやスピーカ等で構成され、画像や音声を出力する。
記憶部１９は、ハードディスク或いはＤＲＡＭ（Ｄｙｎａｍｉｃ  Ｒａｎｄｏｍ  Ａｃｃｅｓｓ  Ｍｅｍｏｒｙ）等で構成され、各種画像のデータを記憶する。
通信部２０は、インターネットを含むネットワークを介して他の装置（図示せず）との間で行う通信を制御する。
【００２０】
ドライブ２１には、磁気ディスク、光ディスク、光磁気ディスク、或いは半導体メモリ等よりなる、リムーバブルメディア３１が適宜装着される。ドライブ２１によってリムーバブルメディア３１から読み出されたプログラムは、必要に応じて記憶部１９にインストールされる。また、リムーバブルメディア３１は、記憶部１９に記憶されている画像のデータ等の各種データも、記憶部１９と同様に記憶することができる。
【００２１】
リスト端末２は、例えば、スマートウォッチ等の時計装置として構成される。上述した情報処理装置１の撮像部１６と、リムーバブルメディア３１を含むドライブ２１の構成を除いた構成であるため同様の構成の説明は省略する。
なお、以下において、情報処理装置１とリスト端末２のハードウェア構成を言い分ける場合には、符号の後に、情報処理装置１は「−１」を付し、リスト端末２は「−２」を付して説明を行うものとする。
【００２２】
このように構成される表示システムＳにおいては、情報処理装置１での表示をリスト端末２で引き継いで表示（以下、「引き継ぎ表示」という。）することができる機能を有する。
【００２３】
図３は、図１の表示システムＳにおける引き継ぎ表示の概要を示す図である。
表示システムＳにおける引き継ぎ表示は、詳細には、情報処理装置１での表示処理を、情報処理装置１の非操作時にリスト端末２に引き継ぎ、リスト端末２で表示処理させる。
【００２４】
具体的には、表示システムＳにおいては、図３（ａ）に示すように、例えば、情報処理装置１において、ｗｅｂサイトの閲覧を行っている。この時、リスト端末２においては、表示がオフされていても、他の情報が表示されていてもよい。
【００２５】
その後、図３（ｂ）に示すように、情報処理装置１において、ｗｅｂサイトの閲覧できない状況が生じた場合に、リスト端末２において、情報処理装置１での表示を引き継いで、情報処理装置１で表示していた情報を表示する。
【００２６】
詳細には、情報処理装置１は、スリープ状態に切り替わった場合や電源がオフされることによって表示がオフされる場合に、引き継ぎ情報（本例では、表示していた画面の画像データ：画面のキャプチャ画像データ）をリスト端末２に送信する。引き継ぎ情報を受信したリスト端末２では、引き継ぎ情報に基づいて（ｗｅｂサイトにアクセスして）、表示がオフされた時の表示を行う。
【００２７】
このように表示システムＳを構成することにより、リスト端末２で代替的に情報処理装置１での表示を引き継いで表示（引き継ぎ表示）させることができる。リスト端末２は、常に腕に装着されているために、情報処理装置１のように画面の閲覧に際して、手を占有することなく、腕を回転させる等して、リスト端末２の出力部１８−２の表示面を視線方向に向けるだけで簡単に閲覧を行うことができる。このため、情報処理装置１での閲覧操作ができない混雑時の電車内や自動車の運転時等の情報処理装置１で閲覧できない状況下に効果的となる。また、情報処理装置１とリスト端末２間だけで通信を行うように構成すれば、例えば、インターネット通信が禁止される電車の優先席周辺や病院等の情報処理装置１の使用が好ましくない状況下において、リスト端末２で引き続き情報を閲覧することができる。
【００２８】
図４は、このような図２の情報処理装置１及びリスト端末２の機能的構成のうち、表示引き継ぎ処理を実行するための機能的構成を示す機能ブロック図である。
表示引き継ぎ処理とは、情報処理装置１での表示を、表示オフを契機に、リスト端末２に引き継いで表示させるまでの処理をいう。
【００２９】
情報処理装置１側の表示引き継ぎ処理は、図４に示すように、ＣＰＵ１１−１において、通信制御部５１と、出力制御部５２と、出力監視部５３と、引き継ぎ情報作成部５４と、が機能する。
【００３０】
通信制御部５１は、通信部２０での通信を制御する。詳細には、通信制御部５１は、リスト端末２とペアリングを行うように通信部２０−１を制御する。また、通信制御部５１は、引き継ぎ情報作成部５４により作成された後述する引き継ぎ情報を情報処理装置１に送信する。また、通信制御部５１は、表示オン通知をリスト端末２に送信するように通信部２０−１を制御する。
【００３１】
出力制御部５２は、閲覧情報を表示出力するように出力部１８−１を制御する。本実施形態においては、出力制御部５２は、例えば、ｗｅｂサイトの閲覧情報を表示出力させる。
【００３２】
出力監視部５３は、出力部１８−２における表示出力がオフされたか否かを判定する。本実施形態においては、出力監視部５３は、ユーザによる入力部１７−１への表示オフ操作や所定時間経過した場合の表示オフを監視し、出力部１８−２における表示出力のオフ状態を判定する。
また、出力監視部５３は、表示オン操作があったか否かを判定する。本実施形態においては、出力監視部５３は、ユーザの入力部１７−１への表示オン操作を監視し、表示オン状態を判定する。
【００３３】
引き継ぎ情報作成部５４は、リスト端末２に対して表示引き継ぎを行わせるための情報（以下、「引き継ぎ情報」という。）を作成する。本実施形態においては、引き継ぎ情報作成部５４は、表示オフ直前に表示出力していたｗｅｂサイト画面の画像データを引き継ぎ情報として作成する。引き継ぎ情報を表示画面の画像データとするで、リスト端末２側での情報処理量を少なくすることができる。
また、この引き継ぎ情報には、画像データに表示オフ直前に表示出力していた中心位置や拡大率等の表示状態を示す情報を含むようにしてもよく、リスト端末２側で表示オフ直前の情報処理装置１の表示状態を再現できるようにしてもよい。
【００３４】
リスト端末２側の表示引き継ぎ処理は、図３に示すように、ＣＰＵ１１−２において、通信制御部７１と、出力制御部７２と、が機能する。
【００３５】
また、記憶部１９−２の一領域には、引き継ぎ情報記憶部９１が設定される。
引き継ぎ情報記憶部９１には、引き継ぎ情報が記憶される。本実施形態においては、引き継ぎ情報は、ｗｅｂサイト画面の画像データである。
【００３６】
通信制御部７１は、情報処理装置１とペアリングを行うように通信部２０−２を制御する。また、情報処理装置１から送信された引き継ぎ情報を通信部２０−２において受信させるように制御するとともに、引き継ぎ情報を受信したか否かを判定する。また、通信制御部７１は、情報処理装置１から表示オフ通知を通信部２０−２において受信させるように制御するとともに、表示オフ通知を受信したか否かを判定する。
【００３７】
出力制御部７２は、引き継ぎ情報記憶部９１に記憶された引き継ぎ情報に基づいて、表示出力するように出力部１８−２を制御する。本実施形態においては、出力制御部７２は、例えば、引き継ぎ情報であるｗｅｂサイト画面の画像データを表示出力するように出力部１８−２を制御する。
また、出力制御部７２は、出力制御部３５は、出力部１８−２における表示出力をオフする。
【００３８】
図５は、図４の機能的構成を有する図２の情報処理装置１が実行する表示引き継ぎ処理の流れを説明するフローチャートである。
表示引き継ぎ処理は、ユーザによる入力部１７への表示引き継ぎ処理の操作により開始される。
【００３９】
ステップＳ１１において、通信制御部５１は、リスト端末２とペアリングを行うように通信部２０−１を制御する。これにより、情報処理装置１とリスト端末２間での秘匿性の高い情報のやり取りが可能となる。
【００４０】
ステップＳ１２において、出力制御部５２は、閲覧情報を表示出力するように出力部１８−１を制御する。本例では、出力制御部５２は、例えば、ｗｅｂサイトの閲覧情報を表示出力させる。
【００４１】
ステップＳ１３において、出力監視部５３は、出力部１８−２における表示出力がオフされたか否かを判定する。具体的には、出力監視部５３は、ユーザによる入力部１７−１への表示オフ操作、所定時間経過した場合の表示オフ、電源オフ操作や電池残量が少なくなることに伴う電源オフ処理のスタート等を監視し、出力部１８−２における表示出力のオフ状態を判定する。
表示出力がオフされない場合には、ステップＳ１３においてＮＯと判定されて、表示がオフされるまで監視を続ける。
表示出力がオフされた場合には、ステップＳ１３においてＹＥＳと判定されて、処理はステップＳ１４に進む。
【００４２】
ステップＳ１４において、引き継ぎ情報作成部５４は、引き継ぎ情報を作成する。本例では、引き継ぎ情報作成部５４は、表示オフ時に表示出力していた画面の画像データを引き継ぎ情報として作成する。
【００４３】
ステップＳ１５において、通信制御部５１は、引き継ぎ情報作成部５４により作成された引き継ぎ情報を情報処理装置１に送信する。
【００４４】
ステップＳ１６において、出力監視部５３は、表示オン操作があったか否かを判定する。具体的には、出力監視部５３は、ユーザの入力部１７−１への表示オン操作を監視し、表示オン状態を判定する。
表示オン操作がない場合には、ステップＳ１６においてＮＯと判定されて、表示オン操作がされるまで監視を続ける。
表示オン操作があった場合には、ステップＳ１６においてＹＥＳと判定されて、処理はステップＳ１７に進む。
【００４５】
ステップＳ１７において、通信制御部５１は、表示オン通知をリスト端末２に送信するように通信部２０−１を制御する。その後、情報処理装置１が実行する表示引き継ぎ処理を終了する。
【００４６】
図６は、図４の機能的構成を有する図２のリスト端末２が実行する表示引き継ぎ処理の流れを説明するフローチャートである。
【００４７】
ステップＳ３１において、通信制御部７１は、情報処理装置１とペアリングを行うように通信部２０−２を制御する。これにより、リスト端末２と情報処理装置１間での秘匿性の高い情報のやり取りが可能となる。
【００４８】
ステップＳ３２において、通信制御部７１は、情報処理装置１から送信された引き継ぎ情報を通信部２０−２において受信したか否かを判定する。
引き継ぎ情報が受信されていない場合には、ステップＳ３２においてＮＯと判定されて、引き継ぎ情報が受信されるまで待機状態となる。
引き継ぎ情報が受信された場合には、ステップＳ３２においてＹＥＳと判定されて、処理はステップＳ１３に進む。引き継ぎ情報が受信された場合には、引き継ぎ情報記憶部９１に記憶される。
【００４９】
ステップＳ３３において、出力制御部７２は、引き継ぎ情報記憶部９１に記憶された引き継ぎ情報に基づいて、表示出力するように出力部１８−２を制御する。本例では、出力制御部７２は、例えば、引き継ぎ情報である表示していた画面の画像データを表示出力するように出力部１８−２を制御する。
【００５０】
ステップＳ３４において、通信制御部７１は、情報処理装置１から表示オフ通知を通信部２０−２において受信したか否かを判定する。
表示オフ通知を受信していない場合には、ステップＳ３４においてＮＯと判定されて、表示オフ通知を受信するまで待機状態となる。
表示オフ通知を受信した場合には、ステップＳ３４においてＹＥＳと判定されて、処理はステップＳ３５に進む。
【００５１】
ステップＳ３５において、出力制御部３５は、出力部１８−２における表示出力をオフする。その後、リスト端末２が実行する表示引き継ぎ処理を終了する。
【００５２】
以上のように構成される表示システムＳは、情報処理装置１と、リスト端末２と、を備える。
情報処理装置１は、出力部１８−１と、出力監視部５３と、通信制御部５１と、を備える。
出力監視部５３は、出力部１８−１への表示がオフにされたか否かを判定する。
通信制御部５１は、出力監視部５３によって表示がオフにされたと判定された場合に出力部１８−１の表示内容に係る表示情報である引き継ぎ情報をリスト端末２に送信する。
リスト端末２は、出力部１８−２と、通信制御部７１と、出力制御部７２と、を備える。
通信制御部７１は、情報処理装置１から送信された引き継ぎ情報を受信するように通信部２０−２を制御する。
出力制御部７２は、通信部２０−２によって受信した引き継ぎ情報に基づく情報を出力部１８−２に表示する。
これにより、表示システムＳにおいては、例えば、情報処理装置１での表示をリスト端末２で引き継いで行うために、ユーザが知りたかった情報を簡単に継続して確認することができる。
また、引き継ぎ先をリスト端末２とすることで、情報処理装置１に比べて簡単に確認が可能であり、また、情報処理装置１での閲覧ができない状況下や情報処理装置１での閲覧が好ましくない状況下で、引き続き、情報処理装置１で表示していた情報を閲覧することができる。
【００５３】
また、情報処理装置１は、出力監視部５３によってオフにされたと判定された場合に、出力部１８−１への表示がオフにされる直前に出力部１８−１に表示されていた表示内容に基づいて、引き継ぎ情報を作成する引き継ぎ情報作成部５４と、を更に備える。
通信制御部５１は、引き継ぎ情報作成部５４によって引き継ぎ情報が作成されると、当該表示情報をリスト端末２に送信する。
これにより、表示システムＳにおいては、例えば、情報処理装置１での直近の表示をリスト端末２で引き継いで行うために、ユーザが知りたかった情報を簡単に継続して確認することができる。
【００５４】
また、出力制御部７２は、引き継ぎ情報に基づいて、出力部１８−１に表示されていた内容を、出力部１８−１に表示されていた状態を再現して出力部１８−２に表示する。
これにより、表示システムＳにおいては、例えば、情報処理装置１での表示をリスト端末２で再現して表示するために、ユーザが情報処理装置１での感覚と変わりなく知りたかった情報を簡単に継続して確認することができる。
【００５５】
また、通信制御部５１は、表示している画面の画像データを引き継ぎ情報としてリスト端末２に送信するように通信部２０−１を制御する。
これにより、表示システムＳにおいては、リスト端末２側での情報処理量を少なくすることができる。
【００５６】
また、出力制御部７２は、引き継ぎ情報の受信時に受信した引き継ぎ情報に基づく情報を表示させるように出力部１８−２を制御する。
これにより、表示システムＳにおいては、ユーザはすぐに情報処理装置１で表示されていた内容をリスト端末２にて確認することができる。
【００５７】
なお、本発明は、上述の実施形態に限定されるものではなく、本発明の目的を達成できる範囲での変形、改良等は本発明に含まれるものである。
【００５８】
上述の実施形態では、表示していた画面の画像データを引き継ぎ情報としたがこれに限られず、例えば、ｗｅｂサイトを閲覧していた場合には、ｗｅｂサイトのＵＲＬ情報やｗｅｂサイトを構成するＨＴＭＬデータ、閲覧していたページ全体を画像データに変換したデータ、を引き継ぎ情報としてもよい。引き継ぎ情報を、ＵＲＬ情報とした場合、情報処理装置１とリスト端末２間のデータ量が少なくて済み、また、リスト端末２側で、ｗｅｂサイトの閲覧を引き続き行うことも可能となる。
【００５９】
上述の実施形態では、表示していた画面をそのまま画像データにしたものを表示させるように構成したが、例えば、画面の情報の要約を作成して、簡略的にリスト端末２に表示させるように構成してもよい。リスト端末２の出力部１８−２は、情報処理装置１よりも表示領域に制約があるからである。
【００６０】
また、上述の実施形態では、単に情報処理装置１の表示画面を画像データとして引き継いだがこれに限られない。例えば、アプリケーションの動作画面であった場合には、リスト端末２で同様のアプリケーションを立ち上げて、引き継ぎ表示を行ってもよい。なお、リスト端末２で情報処理装置１と同様のアプリケーションがインストールされていない場合は、アプリケーションをインストール動作に移行してもよいし、単に表示画面の画像データをキャプチャ画像で生成して表示させるように構成してもよい。
【００６１】
また、上述の実施形態では、単に情報処理装置１での表示を引き継ぐのではなく、情報処理装置１での処理結果を表示させるように構成してもよい。例えば、情報処理装置１で、ｗｅｂサイトやルートの検索等を行っていた場合には、検索結果を表示させるように構成してもよい。
【００６２】
また、上述の実施形態では、情報処理装置１の表示に係るものを引き継いで、リスト端末２で表示させるようにしたかこれに限られない。情報処理装置１とリスト端末２が相互に表示を引き継げるようにしてもよいし、リスト端末２が時計装置であることを利用して、例えば、リマインダ、タイマ、ＴＯ−ＤＯ等の情報処理装置１の時間に係る情報を引き継いで表示させるように構成してもよい。
また、上述の実施形態では、表示システムＳは、情報処理装置１と、リスト端末２の２つの機器によって構成したが、これに限らず、３以上の機器間で互いに表示を引き継げる構成にしてもよい。
【００６３】
また、上述の実施形態では、情報処理装置１は、スリープ状態に切り替わった場合や電源がオフされる場合などの、表示がオフされる場合に、引き継ぎ情報をリスト端末２に送信するようにしたが、表示がオフされる場合だけに限らず、情報処理装置１のスマートフォンに音声通話やメール等の着信が通知される場合に、通知直前の情報処理装置１の表示画面をリスト端末２に引き継ぎ情報をリスト端末２に送信するようにしてもよい。
【００６４】
また、上述の実施形態では、引き継ぎ情報を受信したことで引き継ぎ情報の表示出力を開始するように構成したがこれに限られず、例えば、リスト端末２のスリープ解除時、電源オン時、所定の操作のタイミングで引き継ぎ情報の表示出力を開始するように構成してもよい。
【００６５】
また、上述の実施形態では、本発明が適用される表示システムＳにおいて情報処理装置１及びリスト端末２は、スマートフォン及び時計装置を例として説明したが、特にこれに限定されない。
例えば、本発明は、表示引き継ぎ処理機能を有する電子機器一般に適用することができる。具体的には、例えば、本発明は、ノート型のパーソナルコンピュータ、プリンタ、テレビジョン受像機、ビデオカメラ、携帯型ナビゲーション装置、携帯電話機、スマートフォン、ポータブルゲーム機等に適用可能である。
【００６６】
上述した一連の処理は、ハードウェアにより実行させることもできるし、ソフトウェアにより実行させることもできる。
換言すると、図３の機能的構成は例示に過ぎず、特に限定されない。即ち、上述した一連の処理を全体として実行できる機能が情報処理装置１に備えられていれば足り、この機能を実現するためにどのような機能ブロックを用いるのかは特に図３の例に限定されない。
また、１つの機能ブロックは、ハードウェア単体で構成してもよいし、ソフトウェア単体で構成してもよいし、それらの組み合わせで構成してもよい。
【００６７】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【００６８】
このようなプログラムを含む記録媒体は、ユーザにプログラムを提供するために装置本体とは別に配布される図２のリムーバブルメディア３１により構成されるだけでなく、装置本体に予め組み込まれた状態でユーザに提供される記録媒体等で構成される。リムーバブルメディア３１は、例えば、磁気ディスク（フロッピディスクを含む）、光ディスク、又は光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ），Ｂｌｕ−ｒａｙ  Ｄｉｓｃ（ブルーレイディスク）（登録商標）等により構成される。光磁気ディスクは、ＭＤ（Ｍｉｎｉ−Ｄｉｓｋ）等により構成される。また、装置本体に予め組み込まれた状態でユーザに提供される記録媒体は、例えば、プログラムが記録されている図２のＲＯＭ１２や、図２の記憶部１９に含まれるハードディスク等で構成される。
【００６９】
なお、本明細書において、記録媒体に記録されるプログラムを記述するステップは、その順序に沿って時系列的に行われる処理はもちろん、必ずしも時系列的に処理されなくとも、並列的或いは個別に実行される処理をも含むものである。
また、本明細書において、システムの用語は、複数の装置や複数の手段などより構成される全体的な装置を意味するものとする。
【００７０】
以上、本発明のいくつかの実施形態について説明したが、これらの実施形態は、例示に過ぎず、本発明の技術的範囲を限定するものではない。本発明はその他の様々な実施形態を取ることが可能であり、さらに、本発明の要旨を逸脱しない範囲で、省略や置換等種々の変更を行うことができる。これら実施形態やその変形は、本明細書等に記載された発明の範囲や要旨に含まれるとともに、特許請求の範囲に記載された発明とその均等の範囲に含まれる。
【００７１】
以下に、本願の出願当初の特許請求の範囲に記載された発明を付記する。
［付記１］
第１の表示装置と、第２の表示装置と、を備える表示システムであって、
前記第１の表示装置は、
第１の表示手段と、
前記第１の表示手段への表示がオフにされたか否かを判定する判定手段と、
前記判定手段によって表示がオフにされたと判定された場合に前記第１の表示手段の表示内容に係る表示情報を前記第２の表示装置に送信する送信手段と、を備え、
前記第２の表示装置は、
第２の表示手段と、
前記第１の表示装置から送信された前記表示情報を受信する受信手段と、
前記受信手段によって受信した前記表示情報に基づく情報を前記第２の表示手段に表示する第２の表示制御手段と、を備える、
ことを特徴とする表示システム。
［付記２］
前記第１の表示装置は、
前記判定手段によってオフにされたと判定された場合に、前記第１の表示手段への表示がオフにされる直前に前記第１の表示手段に表示されていた表示内容に基づいて、前記表示情報を作成する情報作成手段と、
を更に備え、
前記送信手段は、前記情報作成手段によって前記表示情報が作成されると、当該表示情報を前記第２の表示装置に送信することを特徴とする付記１に記載の表示システム。
［付記３］
前記第２の表示制御手段は、前記表示情報に基づいて、前記第１の表示手段に表示されていた内容を、前記第１の表示手段に表示されていた状態を再現して前記第２の表示手段に表示することを特徴とする付記１又は２に記載の表示システム。
［付記４］
前記送信手段は、表示している画面の画像データを前記表示情報として前記第２の表示装置に送信するように第１の通信手段を制御する、
ことを特徴とする付記１乃至３いずれか１つに記載の表示システム。
［付記５］
前記第２の表示制御手段は、前記表示情報を受信すると当該表示情報に基づく情報を表示させるように第２の表示手段を制御する、
ことを特徴とする付記１乃至４いずれか１つに記載の表示システム。
［付記６］
前記第２の表示装置は、前記第２の表示手段を備えたリスト端末により構成される、
ことを特徴とする付記１乃至５いずれか１つに記載の表示システム。
［付記７］
表示手段と、
前記表示手段への表示のオン・オフを制御する表示制御手段と、
前記表示制御手段によって前記表示手段への表示がオフにされたか否かを判定する判定手段と、
前記判定手段によってオフにされたと判定された場合に、前記表示手段への表示がオフにされる直前に前記表示手段に表示されていた表示内容に係る表示情報を作成する情報作成手段と、
前記情報作成手段によって前記表示情報が作成されると、当該表示情報を外部装置に送信する送信手段と、
を備えることを特徴とする表示装置。
［付記８］
外部装置の表示手段の表示内容に係る表示情報を前記外部装置から取得する取得手段と、
前記取得手段によって取得した前記表示情報に基づいて、前記外部装置の表示手段に表示されていた表示内容を、前記外部装置の表示手段に表示されていた状態を再現して表示部に表示する表示制御手段と、
を備えることを特徴とする表示装置。
［付記９］
第１の表示手段を備える第１の表示装置と、第２の表示手段を備える第２の表示装置と、を備える表示システムで実行される表示方法あって、
前記第１の表示手段への表示がオフにされたか否かを判定する判定ステップと、
表示がオフにされたと判定された場合に前記第１の表示手段の表示内容に係る表示情報を前記第２の表示装置に送信する送信ステップと、
前記第２の表示装置が、前記第１の表示装置から送信された前記表示情報を受信する受信ステップと、
前記受信ステップによって受信した前記表示情報に基づく情報を前記第２の表示手段に表示する第２の表示制御ステップと、
を含むことを特徴とする表示方法。
【符号の説明】
【００７２】
１・・・情報処理装置，２・・・リスト端末，１１・・・ＣＰＵ，１２・・・ＲＯＭ，１３・・・ＲＡＭ，１４・・・バス，１５・・・入出力インターフェース，１６・・・撮像部，１７・・・入力部，１８・・・出力部，１９・・・記憶部，２０・・・通信部，２１・・・ドライブ，３１・・・リムーバブルメディア，５１・・・通信制御部，５２・・・出力制御部，５３・・・出力監視部，５４・・・引き継ぎ情報作成部，７１・・・通信制御部，７２・・・出力制御部，９１・・・引き継ぎ情報記憶部，Ｓ・・・表示システム
【図１】
2015069128.tif 000003
【図２】
2015069128.tif 000004
【図３】
2015069128.tif 000005
【図４】
2015069128.tif 000006
【図５】
2015069128.tif 000007
【図６】
2015069128.tif 000008